【手続補正書】
【提出日】平成17年11月8日(2005.11.8)
【手続補正１】
【補正対象書類名】明細書
【補正対象項目名】特許請求の範囲
【補正方法】変更
【補正の内容】
【特許請求の範囲】
【請求項１】  入力信号に効果を付加して出力する効果付加手段と、
前記効果付加手段に入力する試験信号を発生する試験信号発生手段と、
前記試験信号発生手段において発生される試験信号の波形を決定する波形情報と該試験信号の発音態様を決定する発音態様情報とを有して構成される試験信号情報を複数組記憶する試験信号情報記憶手段と、
所定の試験信号情報を構成する波形情報と発音態様情報とに従って試験信号を発生するように前記試験信号発生手段を制御する制御手段と
を有する効果装置。
【請求項２】  入力信号に効果を付加して出力する効果付加手段と、
前記効果付加手段に入力する試験信号を発生する試験信号発生手段と、
前記効果付加手段において付加される効果を決定する効果情報を複数種類記憶した効果情報記憶手段と、
前記効果情報記憶手段に記憶された複数種類の効果情報に対応して、前記試験信号発生手段において発生される試験信号の波形を決定する波形情報と該試験信号の発音態様を決定する発音態様情報とを有して構成される試験信号情報を複数組記憶する試験信号情報記憶手段と、
前記効果情報記憶手段に記憶された複数種類の効果情報を選択することによって、前記効果付加手段において付加される効果を選択する効果選択手段と、
前記効果選択手段によって選択された効果情報に対応した試験信号情報を構成する波形情報と発音態様情報とに従って試験信号を発生するように前記試験信号発生手段を制御する制御手段と
を有する効果装置。
【請求項３】  請求項１または２のいずれか１項に記載の効果装置において、
前記試験信号発生手段は、複数のサンプリング波形データを記憶したサンプリング波形データ記憶手段を有し、前記サンプリング波形データ記憶手段に記憶されたサンプリング波形データに基づいて試験信号を発生するものであって、
前記試験信号情報記憶手段に記憶された試験信号情報を構成する波形情報は、前記サンプリング波形データ記憶手段に記憶されたサンプリング波形データを選択する情報である
ものである効果装置。
【請求項４】  請求項１または２のいずれか１項に記載の効果装置において、
前記試験信号情報記憶手段に記憶された試験信号情報を構成する発音態様情報は、前記試験信号発生手段において発生される試験信号の発生パターンを指示する情報である
ものである効果装置。
【請求項５】  請求項３に記載の効果装置において、
前記試験信号情報記憶手段に記憶された試験信号情報を構成する発音態様情報は、前記試験信号発生手段において発生される試験信号の発生パターンを指示する情報であり、
前記試験信号発生手段は、前記試験信号情報記憶手段に記憶された試験信号情報を構成する波形情報により選択されるサンプリング波形データに基づき、前記試験信号情報記憶手段に記憶された試験信号情報を構成する発音態様情報により指示される発生パターンに従って試験信号を発生する
ものである効果装置。
【手続補正２】
【補正対象書類名】明細書
【補正対象項目名】００１０
【補正方法】変更
【補正の内容】
【００１０】
即ち、本発明のうち請求項１に記載の発明は、入力信号に効果を付加して出力する効果付加手段と、上記効果付加手段に入力する試験信号を発生する試験信号発生手段と、上記試験信号発生手段において発生される試験信号の波形を決定する波形情報と該試験信号の発音態様を決定する発音態様情報とを有して構成される試験信号情報を複数組記憶する試験信号情報記憶手段と、所定の試験信号情報を構成する波形情報と発音態様情報とに従って試験信号を発生するように上記試験信号発生手段を制御する制御手段とを有するようにしたものである。
従って、本発明のうちの請求項１に記載の発明によれば、試験信号を発生する際には、試験信号情報を構成する波形情報と発音態様情報とに従って発生されることになる。
【手続補正３】
【補正対象書類名】明細書
【補正対象項目名】００１１
【補正方法】変更
【補正の内容】
【００１１】
また、本発明のうち請求項２に記載の発明は、入力信号に効果を付加して出力する効果付加手段と、上記効果付加手段に入力する試験信号を発生する試験信号発生手段と、上記効果付加手段において付加される効果を決定する効果情報を複数種類記憶した効果情報記憶手段と、上記効果情報記憶手段に記憶された複数種類の効果情報に対応して、上記試験信号発生手段において発生される試験信号の波形を決定する波形情報と該試験信号の発音態様を決定する発音態様情報とを有して構成される試験信号情報を複数組記憶する試験信号情報記憶手段と、上記効果情報記憶手段に記憶された複数種類の効果情報を選択することによって、上記効果付加手段において付加される効果を選択する効果選択手段と、上記効果選択手段によって選択された効果情報に対応した試験信号情報を構成する波形情報と発音態様情報とに従って試験信号を発生するように上記試験信号発生手段を制御する制御手段とを有するようにしたものである。
従って、本発明のうちの請求項２に記載の発明によれば、試験信号を発生する際には、選択された効果情報に対応した試験信号情報を構成する波形情報と発音態様情報とに従って発生されることになる。
【手続補正４】
【補正対象書類名】明細書
【補正対象項目名】００１２
【補正方法】変更
【補正の内容】
【００１２】
また、本発明のうち請求項３に記載の発明は、本発明のうち請求項１または２のいずれか１項に記載の発明において、上記試験信号発生手段は、複数のサンプリング波形データを記憶したサンプリング波形データ記憶手段を有し、上記サンプリング波形データ記憶手段に記憶されたサンプリング波形データに基づいて試験信号を発生するものであって、上記試験信号情報記憶手段に記憶された試験信号情報を構成する波形情報は、上記サンプリング波形データ記憶手段に記憶されたサンプリング波形データを選択する情報であるようにしたものである。
【手続補正５】
【補正対象書類名】明細書
【補正対象項目名】００１３
【補正方法】変更
【補正の内容】
【００１３】
また、本発明のうち請求項４に記載の発明は、本発明のうち請求項１または２のいずれか１項に記載の発明において、上記試験信号情報記憶手段に記憶された試験信号情報を構成する発音態様情報は、上記試験信号発生手段において発生される試験信号の発生パターンを指示する情報であるようにしたものである。
【手続補正６】
【補正対象書類名】明細書
【補正対象項目名】００１４
【補正方法】変更
【補正の内容】
【００１４】
また、本発明のうち請求項５に記載の発明は、本発明のうち請求項３に記載の発明において、上記試験信号情報記憶手段に記憶された試験信号情報を構成する発音態様情報は、上記試験信号発生手段において発生される試験信号の発生パターンを指示する情報であり、上記試験信号発生手段は、上記試験信号情報記憶手段に記憶された試験信号情報を構成する波形情報により選択されるサンプリング波形データに基づき、上記試験信号情報記憶手段に記憶された試験信号情報を構成する発音態様情報により指示される発生パターンに従って試験信号を発生するようにしたものである。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】